(57)【要約】      （修正有）【課題】携帯用情報端末を使って音楽等を地下鉄などの公共の場で聞く場合、イヤホンが必須であるが、イヤホンの取り付け、収納などの取扱いが煩雑であった。【解決手段】携帯用情報端末ケース２にスライド式収納部３を設けることにより、コード式イヤホンを携帯用情報端末から使用するたびに取り外しすることなく、コード式イヤホンを情報端末にとりつけたまま収納可能で、ＩＤカード、外付けバッテリー等も収納可能なスライド式携帯用情報端末ケースを提供する。【選択図】図１
2017124172.tif 000002
【特許請求の範囲】
【請求項１】
携帯情報端末（１）の背面に、携帯情報端末（１）に対してスライド可能に装着さ      れるスライド式収納部（３）を備えている、ことを特徴とするスライド式携帯情報      端末ケース。
【請求項２】
携帯情報端末（１）が取り付けられる携帯情報端末ケース（２）を備えており、
この携帯情報端末ケース（２）の背面に、スライド式収納部（３）が携帯情報端末ケ    ース（２）に対してスライド可能に装着されている、ことを特徴とする請求項１のス    ライド式携帯情報端末ケース
【請求項３】
携帯情報端末ケース（２）には、長辺となる両側面に凹型の溝（６）があり、スラ    イド式収納部（３）の長辺となる両内側面には凸型部分（７）が形成されており、携    帯情報端末ケース（２）は、スライド式収納部（３）に対してスライドするように、    凹型の溝（６）がスライド式収納部（３）の凸型部分（７）に連結されていることを    特徴とする請求項２のスライド式携帯情報端末ケース
【請求項４】
スライド式収納部（３）の長辺となる両内側面には凹型部分（１５）が形成されて    おり、携帯情報端末ケース（２）が、スライド式収納部（３）に対してスライドする    ように、スライド式収納部（３）の凹型部分（１５）に連結されていることを特徴と    する請求項２のスライド式携帯情報端末ケース
【請求項５】
スライド式収納部（３）には、長辺となる両内側面に凸型部分（７）が上段にあり    、下段には凹型の溝（８）があり、上段の凸型部分（７）は携帯情報端末ケース（２    ）の凹型の溝（６）に連結されており、スライド式収納部（３）には、下段の凹型部    分（８）に連結された、スライド式収納部（３）に対してスライド可能な収納ケース    蓋（４）が設けられていることを特徴とする請求項３のスライド式携帯情報端末ケー    ス
【請求項６】
スライド式収納部（３）には、長辺となる両内側面に凹型部分（１５）が上段にあ    り、下段には凹型の溝（８）があり、上段の凹型部分（１５）は携帯情報端末ケース    （２）に連結されており、スライド式収納部（３）には、下段の凹型部分（８）に連    結された、スライド式収納部（３）に対してスライド可能な収納ケース蓋（４）が設    けられていることを特徴とする請求項４のスライド式携帯情報端末ケース
【請求項７】
スライド式収納部（３）の長辺となる両内側面には凹型部分（１５）が形成されて    おり、携帯情報端末（１）が、スライド式収納部（３）に対してスライドするように    、スライド式収納部（３）の凹型部分（１５）に連結されていることを特徴とする請    求項１のスライド式携帯情報端末ケース
【請求項８】
スライド式収納部（３）には、長辺となる両内側面に凹型部分（１５）が上段にあ    り、下段には凹型の溝（８）があり、上段の凹型部分（１５）は携帯情報端末（１）    に連結されており、スライド式収納部（３）には、下段の凹型部分（８）に連結され    た、スライド式収納部（３）に対してスライド可能な収納ケース蓋（４）が設けられ    ていることを特徴とする請求項７のスライド式携帯情報端末ケース
【請求項９】
スライド式収納部（３）に切込み部分（５）があることを特徴とする請求項３もし    くは請求項４または請求項７のスライド式携帯情報端末ケース
【請求項１０】
スライド式収納部（３）は、携帯情報端末（１）または携帯情報端末ケース（２）    よりも長さが短い構造とする請求項１のスライド式携帯情報端末ケース
【請求項１１】
スライド式収納部（３）には、補聴器もしくは外付けバッテリー（１７）を備える    ことを特徴とする請求項１のスライド式携帯情報端末ケース
【請求項１２】
外付けバッテリー（１７）には、充電回路と充電用の蓄電器（２９）と予備電源を      備える請求項１１のスライド式携帯情報端末ケース
【発明の詳細な説明】
【技術分野】
【０００１】
この発明は、スライド式携帯情報端末ケースに関するものである。
【背景技術】
【０００２】
従来、携帯情報端末とイヤホンは別々に保管する必要があった。
【発明の概要】
【発明が解決しようとする課題】
【０００３】
従来は、次のような欠点があった。
近年、携帯情報端末（スマートフォンを主とするもの）が急速に普及し、携帯電話は携帯情報端末が主流になっている。そんな中で若者を中心に携帯情報端末を携帯音楽プレイヤーとして使っているのを多く見かけるようになった。携帯情報端末を携帯音楽プレイヤーとして使うには地下鉄等の公共の乗り物ではイヤホンが必須である。さらに、音声を発する携帯情報端末用アプリケーションを公共の場で使用する場合もイヤホンが必須である。しかし、その場合は携帯情報端末とイヤホンとは別々に携帯するか、コード式イヤホンの場合はイヤホンを携帯情報端末に巻きつけておく必要があった。さらにイヤホンと別々に携帯する場合は、携帯情報端末とイヤホンとを取り外したり、再度取り付けたりを繰り返す必要があった。
また、携帯情報端末には外付けバッテリーが必要な場合があるが、別々に携帯する必要があった。
さらに、ポケット型補聴器が必要な方は、携帯情報端末とは別々に携帯する必要があった。
本発明は、以上のような欠点をなくすためになされたものである。
【課題を解決するための手段】
【０００４】
請求項１のスライド式携帯情報端末は、図１、２、３において、携帯情報端末（１）  の背面に、携帯情報端末（１）に対してスライド可能に装着されるスライド式収納部（  ３）を備えていることを特徴とする。
【０００５】
図１、２、３において、携帯情報端末（１）が取り付けられる携帯情報端末ケース（２）を備えており、この携帯情報端末ケース（２）の背面に、スライド式収納部（３）が携帯情報端末ケース（２）に対してスライド可能に装着されている、ことを特徴とする請求項１のスライド式携帯情報端末ケースを構成する。
【０００６】
図４、６、７において、  携帯情報端末ケース（２）には、長辺となる両側面に凹型の溝（６）があり、スライド式収納部（３）の長辺となる両内側面には凸型部分（７）が形成されており、携帯情報端末ケース（２）は、スライド式収納部（３）に対してスライドするように、凹型の溝（６）がスライド式収納部（３）の凸型部分（７）に連結されていることを特徴とする請求項２のスライド式携帯情報端末ケースを構成する。
【０００７】
図８において、スライド式収納部（３）の長辺となる両内側面には凹型部分（１５）が形成されており、携帯情報端末ケース（２）が、スライド式収納部（３）に対してスライドするように、スライド式収納部（３）の凹型部分（１５）に連結されていることを特徴とする請求項２のスライド式携帯情報端末ケースを構成する。
【０００８】
図９において、スライド式収納部（３）には、長辺となる両内側面に凸型部分（７）が上段にあり、下段には凹型の溝（８）があり、上段の凸型部分（７）は携帯情報端末ケース（２）の凹型の溝（６）に連結されており、スライド式収納部（３）には、下段の凹型部分（８）に連結された、スライド式収納部（３）に対してスライド可能な収納ケース蓋（４）が設けられていることを特徴とする請求項３のスライド式携帯情報端末ケースである。
【０００９】
図１３、図１４において、スライド式収納部（３）には、長辺となる両内側面に凹型部分（１５）が上段にあり、下段には凹型の溝（８）があり、上段の凹型部分（１５）は携帯情報端末ケース（２）に連結されており、スライド式収納部（３）には、下段の凹型部分（８）に連結された、スライド式収納部（３）に対してスライド可能な収納ケース蓋（４）が設けられていることを特徴とする請求項４のスライド式携帯情報端末ケース
【００１０】
図１１、１２において、スライド式収納部（３）の長辺となる両内側面には凹型部分（１５）が形成されており、携帯情報端末（１）が、スライド式収納部（３）に対してスライドするように、スライド式収納部（３）の凹型部分（１５）に連結されていることを特徴とする請求項１のスライド式携帯情報端末ケースである。
【００１１】
図１３、１４において、スライド式収納部（３）には、長辺となる両内側面に凹型部分（１５）が上段にあり、下段には凹型の溝（８）があり、上段の凹型部分（１５）は携帯情報端末（１）に連結されており、スライド式収納部（３）には、下段の凹型部分（８）に連結された、スライド式収納部（３）に対してスライド可能な収納ケース蓋（４）が設けられていることを特徴とする請求項７のスライド式携帯情報端末ケースである。
【００１２】
図１５において、スライド式収納部（３）に切込み部分（５）があることを特徴とする請求項３もしくは請求項４または請求項７のスライド式携帯情報端末ケースである。
【００１３】
図１６において、スライド式収納部（３）は、携帯情報端末（１）または携帯情報端末ケース（２）よりも長さが短い構造とする請求項１のスライド式携帯情報端末ケースである。
【００１４】
図１７、１８において、スライド式収納部（３）には、補聴器もしくは充電器を備えることを特徴とする請求項１のスライド式携帯情報端末ケースである。
【００１５】
図１７、１８において、外付けバッテリー（１７）には、充電回路と充電用の蓄電器（２９）と予備電源を備える請求項１１のスライド式携帯情報端末ケースである。
【発明の効果】
【００１６】
携帯情報端末ケース（２）の背面にスライド式収納部（３）を設け、コード式イヤホンにおいてイヤホンを使わない場合はイヤホンを携帯情報端末（１）に繋げたまま収納が可能となる。これにより、使用するごとにイヤホンを携帯情報端末（１）から取り外すことなく使うことができる。
【００１７】
コード式イヤホンを携帯情報端末（１）から外す場合は、スライド式収納部だけを携帯情報端末ケース（２）から外すことが可能であり、コード式イヤホンをスライド式収納部（３）に収納し、収納蓋（４）を装着することで携帯情報端末（１）とは別に収納庫として携帯することも可能となる。
【００１８】
無線式イヤホン（２８）の場合は、スライド式収納部（３）内部底面に埋め込んで、使用時は取り外して使うといった利用も可能となる。
スライド式収納部（３）にはイヤホンの他、ＩＤカードやメモ・紙幣等も収納可能であり財布の代わりにもなる。
【００１９】
さらに、スライド式収納部（３）空間もしくはスライド式収納部（３）底部に補聴器もしくは充電用の基盤（１７）や蓄電池（１７）等を含めた機器、すなわち充電用の外付けバッテリーとして携帯することも可能であり、その際は携帯情報端末（１）と補聴器もしくは充電用の外付けバッテリーを一体化させ携帯可能となる。
【００２０】
スライド式収納部（３）に外付けバッテリーを装着した場合、携帯情報端末との接続は、接続端子の他に磁石式にもすることが可能である。
【００２１】
装着させる電子機器には携帯情報端末の他に電子写真パネルすなわちデジタルフォトフレームと呼ばれているものや携帯できるカーナビゲーションやポータブルテレビにも応用できる。携帯できるカーナビゲーションやポータブルテレビに応用した場合、移動の際は背面の収納庫に電源ケーブルを収納することができる。
【００２２】
スライド式収納部（３）はスライドできるので、スライド式収納部（３）は携帯情報端末と厚み以外の大きさを同じにして、背面のカメラレンズを覆う構造にしても、スライド式収納部（３）をずらすことでカメラを使用することができる。
【図面の簡単な説明】
【００２３】
【図１】本発明の正面図である。スライド式収納部を閉じた状態の図(a)と収納                部を開いた状態の図(b)である。
【図２】本発明の正面図である。スライド式収納部を閉じた状態の図(a)と収納                部を開いた状態の図(b)である。
【図３】携帯情報端末ケース（２）を使用せずにスライド式収納部（３）を装着                した状態の図である。スライド式収納部を閉じた状態の図(a)と収納部                を開いた状態の図(b)である。
【図４】本発明の側面図である。スライド式収納部を閉じた状態の図(a)と収納                部を開いた状態の図(b)である。
【図５】本発明の側面図である。スライド式収納部を閉じた状態の図(a)と収納                部を開いた状態の図(b)である。
【図６】本発明の背面よりの斜視図である。スライド式収納部を閉じた状態の図                (a)と収納部を開いた状態の図(b)である。
【図７】本発明の携帯情報端末下部側の側面図とスライド部分拡大図である。
【図８】本発明の前面よりの斜視図である。スライド式収納部を閉じた状態の図                (a)と収納部を開いた状態の図(b)である。
【図９】本発明の前面よりの斜視図である。スライド式収納部を閉じた状態の図                (a)と収納部を開いた状態の図(b)である。
【図１０】収納部斜視図である。収納部蓋（４）を装着した図(a)、収納部蓋を外                した図(b)である。
【図１１】本発明の背面よりの斜視図である。スライド式収納部（３）を閉じた状                態の図(a)と収納部を開いた状態の図(b)である。
【図１２】本発明の携帯情報端末下部側の側面図とスライド部分拡大図である。
【図１３】収納部内側底面にＩＣカードと同じ大きさのくぼみ（１２）とＩＣカー                ドを固定させるためのツメ（１４）を付けた収納部斜視図である。
【図１４】収納部蓋（４）を途中まで開けた収納部斜視図である。
【図１５】収納部斜視図である。収納部蓋（４）を途中まで開けた図(a)、収納                部蓋を外した図(b)である。
【図１６】本発明の縦断面図である。スライド式収納部を閉じた状態の図(a)と                収納部を開いた状態の図(b)である。
【図１７】スライド式収納部（３）の空間内に補聴器もしくは充電用の基盤（１                ７）や蓄電池（２９）等を含めた機器、すなわち充電用の外付けバッテ                リーおよび電源ケーブル（１６）を装着した場合の収納部斜視図である                。
【図１８】スライド式収納部（３）の短辺の一部を切断し、内部の外付けバッテリ                ーあるいは補聴器の回路（１７）および蓄電池（２９）を可視化可能に                した収納部斜視図である。
【図１９】スライド式収納部（３）の背面図である。収納部背面に設けたＩＣカ                ード口（１８）よりＩＣカードの挿入を行う場合の図である。
【図２０】スライド式収納部（３）空間内に外付けバッテリーを内蔵させた場合                の収納部斜視図である。携帯情報端末（１）との接続部分（１９）を設                けた図である。
【図２１】本発明のスライドさせる機能を用いて壁に取り付けた場合の全面図で                ある。
【図２２】本発明のスライドさせる機能を用いて自動車内のダッシュボードに取                り付けた場合の前面図である。
【図２３】本発明のスライドさせる機能を車載ホルダーに応用した場合の図であ                る。
【図２４】本発明のスライドさせる機能を用いて充電スタンドに応用した場合の                斜視図である。
【図２５】本発明のスライドさせる機能を用いてバック等のカバン類（２４）に                装着した場合の図である。
【図２６】本発明のスライドさせる機能を用いてアームバンド（２５）に取り付                けた場合の前面図である。
【図２７】本発明のスライドさせる機能を用いてペンケース（２６）に取り付け                た場合の斜視図である。
【図２８】携帯情報端末の背面にあるカメラレンズを覆う構造にした場合の斜視                図である。
【図２９】スライド式収納部（３）の内部底面にイヤホンを巻きつけるための支                持具（１３）を装着した場合の図である。
【図３０】コード式イヤホンコードのリール（２７）をスライド式収納部（３）                の内部底面に埋め込み式にして収納した場合の図である。
【図３１】無線式のイヤホンの耳に装着する部分をスライド式収納部（３）の内                部底面に埋め込み式にして収納した場合の図である。
【図３２】スライド式収納部（３）空間に外付けバッテリーを装着した場合の図                である。
【図３３】スライド式収納部（３）に外付けバッテリーを装着した場合の携帯情                報端末との接続で磁石式にした場合の斜視図(a)と断面図(b)である。
【図３４】スライド式収納部（３）の写真である。
【図３５】携帯情報端末（１）に携帯情報端末ケース（２）とスライド式収納部（                ３）を組み合わせた場合の写真である。
【図３６】右側は携帯情報端末（１）に携帯情報端末ケース（２）装着させたもの                である。左側はスライド式収納部（３）にコード式イヤホンを収納し、                収納部蓋（４）を組み合わせた場合の写真である。
【発明を実施するための形態】
【００２４】
本発明を実施するための形態について図面を参照にしつつ説明する。
図１、２に示すように、本発明のスライド式携帯情報端末ケースは、携帯情報端末（１）が取り付けられる携帯情報端末ケース（２）とスライド式収納部（３）を備えており、携帯情報端末ケース（２）がスライド式収納部（３）に対してスライド可能になっている。
携帯情報端末ケース（２）は、公知の携帯情報端末ケースと同様に、ケース内に携帯情報端末が取り付けられる構造になっている。
【００２５】
図３では、携帯情報端末（１）に携帯情報端末ケース（２）を装着せず、スライド式収納部（３）を装着している。
【００２６】
図６、図１６に示すように、携帯情報端末ケース（２）の背面部分には、スライド式収納部（３）が設けられている。このスライド式収納部（３）は、イヤホン等を収納可能で中空な収納空間を有する箱型の構造に形成されている。このスライド式収納部（３）は、主として優先式イヤホンを収納するためのものであるので、イヤホンが収納できる厚み（９）があればよい。例えば厚み（９）は、15mmから20mmのものとすることができる。
【００２７】
図４、６、７、９に示すように、携帯情報端末ケース（２）には、長辺となる両側に凹型の溝（６）があり、スライド式収納部（３）に設けた凸型部分（７）と合わせることができるようになっている。すると、携帯情報端末ケース（２）からスライド式収納部（３）を引き出して、収納することができるスライド式収納部（３）付きスライド式携帯情報端末ケースを構成することができる。
【００２８】
本発明のスライド式携帯情報端末ケースは、図２、５、８、１１、１２に示すような構造としてもよい。スライド式収納部（３）の長辺となる両内側面には、凹型部分（１５）が上段に形成されており、下段には凹型の溝（８）の溝が形成されている。上段の凹型部分（１５）には、携帯情報端末ケース（２）の側面、すなわち携帯情報端末ケース（２）の厚みを包み込むように合わされており、携帯情報端末ケース（２）をスライド式収納部（３）に対してスライドさせて使用することができるようになっている。
【００２９】
図２、５、８、１１、１２に示すスライド式携帯情報端末ケースでは、スライド式収納部（３）にスライド可能な収納部蓋（４）があり、スライド式収納部（３）の下段の凹型の溝（８）と合わされており、収納ケース蓋（４）はスライド式収納部（３）に対してスライドさせて使用することができるようになっている。従って、携帯情報端末ケース（２）から外しても、スライド式収納部（３）をイヤホン等の収納ケースとして単独で使用が可能である。図１４は、スライド式収納部（３）単独で使った場合の斜視図である。このスライド式収納部（３）には、イヤホンの他にＩＤカード・メディア・紙幣・メモ等も収納可能である。
【００３０】
図１０の（ｂ）に示すように、このスライド式収納部（３）の底部にはイヤホンコードあるいは外付けバッテリーや補聴器の電源コードを通すための切込み部分（５）を設けておくことが好ましい。コード式イヤホン使用時は、この切込み部分（５）からイヤホンを出して使用することが可能となる。また、コード式イヤホンが必要でない場合は、イヤホンジャックからコード式イヤホンを外すことなく、スライド式収納部にコード式イヤホンを収納することが可能となる。また、実際の使用状況を図８に示している。図８の（a）は、イヤホンを携帯情報端末本体に繋げたまま、収納する時の例であり、図８の（b）は、イヤホンを装着して音楽等を聴く時の例である。
【００３１】
図６において、携帯情報端末（１）の背部にカメラレンズ部分（１０）が設けられる場合は、カメラレンズ部分（１０）を覆わないようにするため、携帯情報端末ケース（２）とスライド式収納部（３）が完全に重ならない構造としている。具体的には、スライド式収納部（３）は、携帯情報端末ケース（２）よりも短くなるように形成されている。
または、図２８のように、携帯情報端末（１）の画面側の面と同じ大きさにしてカメラ使用時はスライドさせてカメラレンズを出すようにしてもよい。
【００３２】
図１５(b)において、スライド式収納部（３）の切込み部分（５）にゴム片（１１）を両側に付け、小銭等の小さなものが切り込み部（５）から落ちないように作成することも可能である。
また、図１３において、スライド式収納部（３）の内部の底部分に長方形のゴムを貼付し、収納物が滑りにくくすることや、ＩＣカードを収納することを想定しＩＣカードの大きさに窪み（１２）をつけることも可能である。その際はＩＣカードが外れることがないようにＩＣカードを固定するためのツメ（１４）を装着することも可能である。
さらに、図１９のようにＩＣカードをスライド式収納部（３）の内部ではなくスライド式収納部（３）の背面にＩＣカード挿入口（１８）を装着することも可能である。
【００３３】
図２９のようにスライド式収納部（３）にイヤホンコードを巻きつけるための糸巻の芯状の支持具（１３）を装着することも可能である。
【００３４】
この携帯情報端末（１）には主にスマートフォンの他、携帯電話、電子辞書、通話機能のない携帯用情報端末、携帯用ゲーム機、電子写真パネル、携帯型カーナビゲーション、ポータブルテレビ等が当てはまる。
【００３５】
スライド式収納部（３）は、携帯情報端末（１）画面側の天地を逆に取り付けることも可能である。これにより、携帯情報端末（１）機種による個別の機能によりイヤホンや充電端子口の位置が携帯情報端末（１）短辺の上下どちら側にあっても使用可能である。
さらに、携帯情報端末（１）画面とスライド式収納部（３）を合わせて画面側を内側に装着すると、携帯情報端末（１）画面をスライド式収納部（３）によって保護することができる。
【００３６】
図１７、図１８、図２０では、充電回路（１７）と充電用の蓄電器（２９）と蓄電器につなぐ接続端子（１９）がある。携帯情報端末（１）を装着した時は携帯情報端末（１）が家庭内電源より充電され、携帯情報端末（１）を外した時はスライド式収納部（３）空間内のバッテリー蓄電池（２９）が充電される。
図３２のように、収納部を設けずに携帯情報端末（１）を装着したときに、空間に充電回路と蓄電器を入れることにしても良い。つまりイヤホンを入れなくても良い。
【００３７】
図２１では、本発明のスライドという機能を使ってスライド式収納部（３）の背面に壁との固定具を取り付け、壁に固定させた場合の例である。
【００３８】
図２２では、自動車内のダッシュボードにスライド式収納部（３）の背面に固定具を取り付け、自動車内のダッシュボードに取り付けた場合の例である。
【００３９】
図２３では、車載ホルダーに本発明のスライドという機能を利用したものである。このホルダーさせる機器は携帯情報端末（１）の他、携帯型カーナビゲーションやポータブルテレビにしてもよい。
【００４０】
図２４では、スライド式収納部（３）を充電スタンド形式に形状を変えて使用した場合の例である。
【００４１】
図２５では、情報端末ケース（２）をカバン等のバック類に使用した場合の例である。この場合は、情報端末ケース（２）背面にバック類との固定具を取り付ける。スライドさせて取り出すことが可能なため、使用時に携帯情報端末（１）をほぼ瞬時に取り出すことが可能である。
【００４２】
図２６では、情報端末ケース（２）をアームバンド（２５）に装着した使用例である。ランニングの時など手荷物を持たない場合に本発明のスライドさせる機能により、より容易に情報端末（１）を取り出すことが可能である。
【００４３】
図２７のように、情報端末（１）をペンケースに装着することも可能である。
【００４４】
図２８のようにスライド式収納部（３）はスライド可能なため、カメラを使う時はスライドさせることにより携帯情報端末（１）と厚み以外の大きさが同じスライド式収納部（３）を構成することも可能である。
【００４５】
図３０のようにリール式イヤホンのリール部分をスライド式収納部（３）の内部底面に埋め込み式にして収納することも可能である。
【００４６】
図３１のように無線式のイヤホンの耳装着部分をスライド式収納部（３）の内部底面に埋め込み式にして収納することも可能である。
【００４７】
図３２のように、スライド式収納部（３）の内部空間に収納部を設けずに収納容器の中に外付けバッテリーあるいはポケット式補聴器を内蔵させて携帯情報端末との接続端子（１９）を設けることも可能である。この場合は、スライド式収納部（３）にイヤホン等の収納物を入れる構造にしない。スライド式収納部（３）の内部空間に収納部を設けないことで厚みが出すぎず、情報端末操作がしやすくなる。
【００４８】
図３３のように接続端子ではなく、マグネット式充電にすることも可能である。図３３（ｂ）はその場合のスライド式収納部（３）縦断面図である。
【００４９】
図８、図１１に示す発明の一例として、図３４、図３５，図３６は、スライド式携帯情報端末ケースを示す３Ｄプリンターを使って作成した試作品の写真である。
【符号の説明】
【００５０】
1携帯情報端末
2携帯情報端末ケース
3スライド式収納部
4収納部蓋
5切込み部分
6携帯情報端末ケース側面凹型の溝
7スライド式収納部両内側面上段凸型部分
8スライド式収納部両内側面下段凹型の溝
9収納庫ケースの厚み
10カメラレンズ部分
11ゴム片
12ICカード等のくぼみ又は滑り止めシート貼付部分
13イヤホンコードを巻きつけるための支持具
14ICカード等を固定するためのツメ
15スライド式収納部両内側面上段凹型部分
16スライド式収納部に外付けバッテリーを内蔵させた場合の電源ケーブル
17スライド式収納部に外付けバッテリーあるいはポケット式補聴器を内蔵させた場合      の充電回路
18スライド式収納部背面ＩＣカード挿入口
19スライド式収納部に外付けバッテリーを内蔵させた場合の携帯情報端末との接続端      子
20コード式イヤホンあるいは電源ケーブル等
21家庭用コンセント
22自動車内ダッシュボード
23外付け充電スタンド
24カバン等のバック類
25アームバンド
26ペンケース
27リール式イヤホンのリール
28無線式イヤホン
29外付けバッテリー蓄電池
30車載ホルダー
31携帯情報端末等が脱落しないようにするためのツメ
32マグネット式充電用マグネット
【図１】
2017124172.tif 000003
【図２】
2017124172.tif 000004
【図３】
2017124172.tif 000005
【図４】
2017124172.tif 000006
【図５】
2017124172.tif 000007
【図６】
2017124172.tif 000008
【図７】
2017124172.tif 000009
【図８】
2017124172.tif 000010
【図９】
2017124172.tif 000011
【図１０】
2017124172.tif 000012
【図１１】
2017124172.tif 000013
【図１２】
2017124172.tif 000014
【図１３】
2017124172.tif 000015
【図１４】
2017124172.tif 000016
【図１５】
2017124172.tif 000017
【図１６】
2017124172.tif 000018
【図１７】
2017124172.tif 000019
【図１８】
2017124172.tif 000020
【図１９】
2017124172.tif 000021
【図２０】
2017124172.tif 000022
【図２１】
2017124172.tif 000023
【図２２】
2017124172.tif 000024
【図２３】
2017124172.tif 000025
【図２４】
2017124172.tif 000026
【図２５】
2017124172.tif 000027
【図２６】
2017124172.tif 000028
【図２７】
2017124172.tif 000029
【図２８】
2017124172.tif 000030
【図２９】
2017124172.tif 000031
【図３０】
2017124172.tif 000032
【図３１】
2017124172.tif 000033
【図３２】
2017124172.tif 000034
【図３３】
2017124172.tif 000035
【図３４】
2017124172.tif 000036
【図３５】
2017124172.tif 000037
【図３６】
2017124172.tif 000038